(57)【特許請求の範囲】
【請求項１】
接点装置が器体に収納されたスイッチ本体と、スイッチ本体に設けられた発光源と、スイッチ本体の前面側に配設された操作ハンドルと、発光源の光を表示面を通して外部へ出射する表示部およびスイッチ本体と操作ハンドルとの間で発光源の光を表示部の表示面へ導光する集光部を有するプリズムとを備え、集光部は、発光源からの光が入射される入射面に隣り合う面であって入射面に対して４５°の角度をなす第１の反射面と、第１の反射面で反射された光を表示面側へ反射する第２の反射面とを有し、第２の反射面は、階段状に形成され各階段面が第１の反射面に平行な平面状に形成されてなることを特徴とするスイッチ。
【請求項２】
前記第２の反射面は、前記階段面を少なくとも３つ有することを特徴とする請求項１記載のスイッチ。
【発明の詳細な説明】
【０００１】
【発明の属する技術分野】
本発明は、スイッチに関するものである。
【０００２】
【従来の技術】
従来から、位置表示のために点灯する位置表示灯（例えば、ネオンランプなど）や接点への通電時に点灯するパイロット灯（例えば、発光ダイオードなど）などの発光源を備えたスイッチが提供されている。
【０００３】
この種のスイッチでは、操作ハンドルに発光源の光を外部へ出射するための図８のような断面凹状の表示部材６８を備えており、表示部材６８の後方に発光源７０が位置するように構成されている。すなわち、発光源７０の前方に表示部材６８が位置するように構成されている。
【０００４】
また、スイッチには種々の形式のものがあるが、例えば、接点装置が収納された器体と、器体に揺動自在に枢支された形で装着され接点装置を開閉する反転ハンドルと、反転ハンドルの前面を覆い反転ハンドルに結合される操作ハンドルとを備えたものが提供されている。このようなスイッチでは、操作ハンドルの操作面を反転ハンドルの面積よりも大きくすることで操作が容易になる。
【０００５】
【発明が解決しようとする課題】
しかしながら、上述のスイッチにおいて反転ハンドルに発光源７０を設け操作ハンドルに表示部材６８を設けようとした場合、表示部材６８の位置が発光源７０に対して図８における左右方向にずれてしまい、発光源７０からの光を表示部材６８の表示面６８ａに導くことができず表示部材６８の表示面６８ａを通して光が出射されないという不具合があった。
【０００６】
本発明は上記事由に鑑みて為されたものであり、その目的は、発光源と表示面との位置がずれていても発光源の光を外部へ効率良く出射させることができるスイッチを提供することにある。
【０００７】
【課題を解決するための手段】
請求項１の発明は、上記目的を達成するために、接点装置が器体に収納されたスイッチ本体と、スイッチ本体に設けられた発光源と、スイッチ本体の前面側に配設された操作ハンドルと、発光源の光を表示面を通して外部へ出射する表示部およびスイッチ本体と操作ハンドルとの間で発光源の光を表示部の表示面へ導光する集光部を有するプリズムとを備え、集光部は、発光源からの光が入射される入射面に隣り合う面であって入射面に対して４５°の角度をなす第１の反射面と、第１の反射面で反射された光を表示面側へ反射する第２の反射面とを有することを特徴とするものであり、発光源と表示部の表示面との位置がずれていても、発光源の光を集光部の入射面に対して４５°の角度をなす第１の反射面で反射させさらに第２の反射部で反射させて表示部の表示面へ導光することができるので、発光源の光を外部へ効率良く出射させることができる。
【００１０】
また、請求項１の発明では、第２の反射面は、階段状に形成され各階段面が第１の反射面に平行な平面状に形成されているので、前記入射面に直交する方向における前記集光部の厚さ寸法を比較的小さくしながらも前記発光源の光を外部へ効率良く出射させることができ、前記表示面に暗部が形成されるのを防止することができる。
【００１１】
請求項２の発明は、請求項１の発明において、前記第２の反射面は、前記階段面を少なくとも３つ有するので、前記発光源の光を外部へより効率良く出射させることができる。
【００１２】
【発明の実施の形態】
以下に説明する実施の形態では、単極双投型のスイッチ（いわゆる３路スイッチ）を例示するが、本発明の技術思想は他の構成のスイッチにも適用可能である。
【００１３】
図１ないし図３に示すスイッチは、前面（図１の上面）が開口した直方体状の合成樹脂成形品のボディ１０と、矩形枠状に形成されボディ１０の前面側に結合される合成樹脂成形品のカバー２０とにより構成される器体１を備える。ボディ１０の幅方向における両外側面にはボディ１０の長手方向に離間して各一対の組立突起１１が突設され、カバー２０の後端縁からは組立舌片２１が後方に延設され、組立舌片２１に設けた組立孔２１ａに組立突起１１が係合することによってボディ１０とカバー２０とが結合される。
【００１４】
ボディ１０には、ボディ１０の後壁に設けた電線挿入孔１２を通して器体１に挿入される電線（図示せず）を接続する３個の端子装置３０ｂ，３０ｃ，３０ｄと、端子装置３０ｂと端子装置３０ｃ，３０ｄとの間の電路を開閉する接点装置４０とが収納される。一方、カバー２０の中央部の開口窓２２には合成樹脂成形品の反転ハンドル５０がカバー２０に対して揺動自在に枢支された形で装着され、この反転ハンドル５０の揺動に伴って接点装置４０が開閉される。反転ハンドル５０の前面側にはカバー２０の前面に重複する合成樹脂成形品の操作ハンドル６０が着脱可能に結合され、操作ハンドル６０を操作部として揺動させることにより、反転ハンドル５０が揺動して接点装置４０が開閉されるようにしてある。
【００１５】
ボディ１０の内側面には、端子装置３０ｂ，３０ｃ，３０ｄおよび接点装置４０を位置決めするための保持リブ１３および保持溝１４がそれぞれ複数形成されている。端子装置３０ｂはボディ１０の長手方向の一端部内に配置され、端子装置３０ｃ，３０ｄはボディ１０の長手方向の他端部内に配置され、接点装置４０はボディ１０の長手方向の中央部内に配置される。
【００１６】
端子装置３０ｂは、導電性の金属板により形成された端子板３２と、２個の鎖錠ばね３３と、２個の鎖錠ばね３３に当接する合成樹脂成形品の解除釦３４とを備える。端子板３２は、ボディ１０の長手方向の一端部付近でボディ１０の幅方向の両内側面に設けた保持溝１４に両側部が挿入保持される主片３２ａと、主片３２ａに対向する当接片３２ｂと、主片３２ａと当接片３２ｂとの前端縁間を連続一体に連結するようにボディ１０の開口面に沿って延長された連結片３２ｃとを備える。当接片３２ｂはボディ１０の長手方向の中央部付近でボディ１０の幅方向の両内側面に形成された保持リブ１３に当接し、保持リブ１３と保持溝１４との間で端子板３２がボディ１０に保持される。鎖錠ばね３３は主片３２ａと当接片３２ｂとの間に収納される。端子板３２には当接片３２ｂの後端縁からボディ１０の長手方向の中央部に向かってボディ１０の内底面に沿う形で支持片３２ｄが延設され、支持片３２ｄの先端部には前面開放された断面Ｖ字状の支点用溝３２ｅが支持片３２ｄの延長方向に直交する形で形成される。
【００１７】
端子装置３０ｃ，３０ｄはそれぞれ端子板４５，４６を備え、各端子板４５，４６には、器体１に設けた電線挿入孔１２を通して器体１に導入された電線が接触する主片４５ａ，４６ａと、それぞれボディ１０に設けた保持リブ１３に当接する当接片４５ｂ，４６ｂと、主片４５ａ，４６ａと当接片４５ｂ，４６ｂとの間を連結する連結片４５ｃ，４６ｃと、連結片４５ｃ，４６ｃから連続一体に延長され先端部にそれぞれ固定接点４１ａ，４１ｂを設けた接点保持片４５ｄ，４６ｄとが設けられる。両端子装置３０ｃ，３０ｄの接点保持片４５ｄ，４６ｄの先端部は互いに対向するように配置され、固定接点４１ａ，４１ｂは対向する。
【００１８】
端子装置３０ｃ，３０ｄはボディ１０の長手方向における同じ側（図２における左側）に配置されており、各端子板４５，４６にはそれぞれ１個ずつの鎖錠ばね３３が収納される。ただし、両端子板４５，４６の鎖錠ばね３３の間に１つの解除釦３４が配置される。
【００１９】
鎖錠ばね３３は、帯状の板ばねの一端部をＳ字状に曲成して接触片３３ａを形成し、他端部をＪ字状に曲成して鎖錠片３３ｂを形成し、接触片３３ａと鎖錠片３３ｂとの間を接続片３３ｃにより連続一体に連結した形状に形成される。また、接触片３３ａおよび鎖錠片３３ｂは接続片３３ｃに対して厚み方向の同じ側に突出する。鎖錠ばね３３を端子板３２，４５，４６の主片３２ａ，４５ａ，４６ａと当接片３２ｂ，４５ｂ，４６ｂとの間に装着するに際しては、接続片３３ｃを当接片３２ｂ，４５ｂ，４６ｂに当接させる形で接触片３３ａおよび鎖錠片３３ｂを主片３２ａ，４５ａ，４６ａに対向させる。ここに、接触片３３ａおよび鎖錠片３３ｂの先端部は、先端側ほど接続片３３ｃから離れる向きに傾斜し、且つ互いに略平行になるように延長されている。また、接触片３３ａおよび鎖錠片３３ｂの先端部は、先端側ほど連結片３２ｃ，４５ｃ，４６ｃとの距離を小さくするように配置される。
【００２０】
上述した電線挿入孔１２は、端子板３２，４５，４６の主片３２ａ，４５ａ，４６ａと接触片３３ａおよび鎖錠片３３ｂとの間に対応する部位に形成され、電線挿入孔１２を通して器体１に電線を挿入すると、電線の先端部が主片３２ａ，４５ａ，４６ａと接触片３３ａおよび鎖錠片３３ｂとの間に挟持され、電線が主片３２ａ，４５ａ，４６ａに接触して端子装置３０ｂ，３０ｃ，３０ｄと電線とが電気的に接続されるとともに、鎖錠片３３ｂの先端縁が電線に食い込むことによって電線が器体１から抜けないように機械的に保持される。とくに、鎖錠片３３ｂは電線挿入孔１２を通して電線を挿入する向きにおいて主片３２ａ，４５ａ，４６ａとの距離を小さくするように傾斜しているから、電線を引き抜く向きの力に対して鎖錠片３３ｂが撓みにくく、電線の引き抜きを確実に阻止することになる。ここに、電線は絶縁被覆電線であって器体１に挿入する部位は芯線が露出するように絶縁被覆が除去される。したがって、主片３２ａ，４５ａ，４６ａと鎖錠ばね３３との間に電線が挟持されるとは実際には芯線が挟持されることを意味する。なお、上述した端子装置３０ｂ，３０ｃ，３０ｄに用いる端子板３２，４５，４６は、電線の芯線が撚り線である場合にも対応可能となるように構成してあり、撚り線を芯線とする電線であっても、器体１に設けた電線挿入孔１２に電線を挿入するだけで結線作業が行えるようになっている。
【００２１】
ボディ１０の後壁には解除釦３４に対応する部位に操作孔１５が貫設される。図１における右側の解除釦３４は端子装置３０ｂに設けた２個の鎖錠ばね３３の間と、端子装置３０ｃに設けた鎖錠ばね３３と端子装置３０ｄに設けた鎖錠ばね３３の間とにそれぞれ配置され、隣り合う２つの鎖錠ばね３３の鎖錠片３３ｂの後面側にそれぞれ当接する２個の押し片３４ａが側面から突出する形状を有する。操作孔１５はマイナスドライバの先端部のような工具が挿入可能となる形状を有し、工具を操作孔１５に挿入して解除釦３４を前方に押圧すると、鎖錠片３３ｂが押し片３４ａから押圧力を受けることにより主片３２ａから離れる向きに撓むようにしてある。したがって、上述のようにして端子装置３０ｂに電線を接続した状態で端子装置３０ｂ側の操作孔１５に工具を挿入して解除釦３４を押圧すれば、鎖錠片３３ｂが電線から離れるように撓んで電線の機械的保持が解除され、電線を器体１から引き抜くことが可能になる。ここに、解除釦３４には２個の押し片３４ａが設けられ、端子装置３０ｂに設けた２個の鎖錠ばね３３の鎖錠片３３ｂを同時に押圧するから、端子装置３０ｂに２本の電線を接続していれば、１個の解除釦３４を押圧すれば２本の電線の機械的保持を同時に解除することができる。同様に、端子装置３０ｃ，３０ｄそれぞれに電線を接続した状態で端子装置３０ｃ，３０ｄ側の操作孔１５に工具を挿入して解除釦３４を押圧すれば、鎖錠片３３ｂが電線から離れるように撓んで電線の機械的保持が解除され、各電線を器体１から引き抜くことが可能になる。
【００２２】
接点装置４０は、端子板３２の支持片３２ｄに対して枢支された板状の開閉素子４３を備え、開閉素子４３は厚み方向の両面に可動接点４２ａ，４２ｂを備え、開閉素子４３の回動に伴って各固定接点４１ａ，４１ｂに各可動接点４２ａ，４２ｂが選択的に接触するようにしてある。つまり、固定接点４１ａに可動接点４２ａが接触している間は可動接点４２ｂは固定接点４１ｂから離れ、固定接点４１ｂに可動接点４２ｂが接触している間は可動接点４２ａは固定接点４１ａから離れる。開閉素子４３の後端縁は支持片３２ｄに設けた支点用溝３２ｅに挿入され、支点用溝３２ｅを中心として開閉素子４３が回動可能になっている。ボディ１０の長手方向の中央部であってボディ１０の後部には、開閉素子４３の側縁に突設された突片４３ａが挿入されるＶ字状の回動規制溝１６が形成され、回動規制溝１６によって開閉素子４３の回動範囲が規制される。開閉素子４３と反転ハンドル５０との間にはコイルスプリングからなる反転ばね４４が保持されており、開閉素子４３の前端部には反転ばね４４の一端部内に挿入されるばね座片４３ｂが突設される。
【００２３】
反転ばね４４の他端部は反転ハンドル５０の後面側に設けた筒部（図示せず）に挿入される。器体１の幅方向における反転ハンドル５０の両側面には支点突起５１が突設され、各支点突起５１は前端部が先細りとなる形状に形成されている。カバー２０の長手方向の中央部であって幅方向の両側部には開口窓２２の周縁から前方に突出する一対の軸受突片２３が突設され、両軸受突片２３の対向面には反転ハンドル５０の支点突起５１が挿入される軸受凹所２４が形成される。軸受凹所２４は少なくとも前端部において支点突起５１を揺動可能に枢支する。反転ハンドル５０の長手方向の一端部には後述する位置表示灯７１からの光を透過させるための透孔５２が貫設され、さらに反転ハンドル５０の長手方向の両端面には操作ハンドル６０を反転ハンドル５０に結合するための結合爪５３がそれぞれ突設される。
【００２４】
なお、カバー２０の長手方向の両端部にはカバー２０の両端部側縁に沿ってカバー２０の前面から突出する当てリブ２５がそれぞれ突設され、各当てリブ２５の外側面には各一対の取付爪２６が突設される。ここでは詳しく説明しないが、取付爪２６は配線器具用の取付枠に設けた取付孔に係合することによって器体１を取付枠に保持させるために設けてあり、壁面などの施工面に器体１の一部を埋め込む形で施工する際に、施工面に固定される取付枠への器体１の結合作業が容易になっている。また、当てリブ２５は器体１を取付枠に取り付けたときに取付枠の裏面側に当接することになる。操作ハンドル６０は両当てリブ２５の間に配置され、操作ハンドル６０は揺動時において当てリブ２５に干渉しないように形成される。このように当てリブ２５をカバー２０に突設し当てリブ２５に取付爪２６を設けたことによって、当てリブ２５を設けない場合に比較すると操作ハンドル６０を後方に位置させることが可能になり、施工状態においてカバー２０と操作ハンドル６０との間に形成される隙間が外部から見えにくくなる。
【００２５】
操作ハンドル６０は、図１に示すように、反転ハンドル５０の前面を覆い、操作ハンドル６０の後面には反転ハンドル５０に設けた結合爪５３に係合する結合脚６１が突設される。結合脚６１の先端部（後端部）には結合爪５３の後面に係合する脚爪６１ａが形成され、操作ハンドル６０の後面に突設した押さえ突起６２と脚爪６１ａとの間で反転ハンドル５０が保持され、結果的に操作ハンドル６０が反転ハンドル５０に固定されることになる。さらに、操作ハンドル６０の長手方向の一端部には位置表示灯７１からの光を外部に取り出すように導光するためのプリズム８０が固着される。
【００２６】
また、操作ハンドル６０の一端部には、操作ハンドル６０の短手方向に走る取付溝６４が形成されており、取付溝６４には帯板状のライン板６５が覆着される。取付溝６４の長手方向の略中央の底壁には、細長の透光窓６４ａが貫設され、プリズム８０に設けた表示部８１が透光窓６４に挿通されるようになっている。ライン板６５は、合成樹脂製であって、透光窓６４に対応する部位で表示孔６６が開口し、表示孔６６には操作ハンドル６０の後面側からプリズム８０の表示部８１が嵌め込んである。ここに、表示部８１はライン板６５の表示孔６６を通して先端部が操作ハンドル６０の前面から突出している。表示部８１の先端部は断面半円状に形成されている。なお、表示部８１は、透光窓６４内に位置する部位８１ｂが他の部位（表示孔６６内に位置する部位）よりも幅広に形成されている。
【００２７】
プリズム８０は、透明合成樹脂の成形品であって、操作ハンドル６０の後面側で位置表示灯７１からの光を表示部８１の先端部の表示面８１ａに導く集光部８２と、操作ハンドル６０の後面側から操作ハンドル６０に取り付けるための矩形板状の取付部８３とを一体に備えている。ここに、取付部８３には円形に開口され前面側から後面側へ徐々に内径が小さくなる取付孔８３ａが貫設されており、操作ハンドル６０の後面から後方へ突設された固定用突起８３ａが挿通されて操作ハンドル６０の後面側に固定されている。なお、プリズム６０の形状については後述する。
【００２８】
反転ハンドル５０の後端部には回路基板７０が保持される。回路基板７０にはネオンランプからなる位置表示灯７１および位置表示灯７１の限流用の抵抗（図示せず）が実装される。回路基板７０の中央部には円形に開口した圧入孔７４が形成され、反転ハンドル５０に設けた筒部が圧入孔７４に圧入されることによって、反転ハンドル５０に回路基板７０が固定されるようにしてある。この状態において位置表示灯７１は反転ハンドル５０の透孔５２を通してプリズム８０に対向するように配置される。
【００２９】
ところで、各端子板４５，４６の連結片４５ｃ，４６ｃには導電性の金属板からなる接触子４７がかしめ固定される。各接触子４７は回路基板７０に弾接するように弾性が付与されており、反転ハンドル５０の揺動にかかわらず接触子４７がつねに回路基板７０に弾接するようにしてある。回路基板７０には位置表示灯７１と抵抗（図示せず）との直列回路が実装され、この直列回路の各一端にそれぞれ接触子４７が接触する。この種の３路スイッチは階段灯の点灯・消灯に用いられることが多く、階上と階下とにそれぞれ３路スイッチを配置して階段灯の点灯・消灯とを階上と階下とのいずれにおいても操作可能とすることができる。したがって、両固定接点４１ａ，４１ｂの間に位置表示灯７１と抵抗との直列回路を挿入しておけば、階段灯の消灯時に位置表示灯７１を点灯させることができる。この種の回路の接続関係は周知であるから説明を省略する。
【００３０】
しかして、上述したスイッチの動作を簡単に説明すれば、図１のように操作ハンドル６０の右端部が左端部よりも後方（図の下方）に位置するときには可動接点４２ａが固定接点４１ａに接触するようにしてあり、この状態では反転ばね４４は中間部が両端部よりも左側に膨らんだ状態になり、反転ばね４４によって可動接点４２ａが固定接点４１ａに押圧されて接点圧が付与される。一方、この状態から操作ハンドル６０の左端部を後方に押すと、反転ばね４４の前端部が右側に移動することにより反転ばね４４は圧縮された後に急速に伸長して中間部が両端部よりも右側に膨らんだ状態になり、このとき開閉素子４３を右側に倒して可動接点４２ａを固定接点４１ａから引き離して可動接点４２ｂを固定接点４１ｂに接触させる。
【００３１】
なお、本実施形態では、位置表示灯７１が発光源７０（図４参照）を構成しているが、発光源７０は例えば従来例で説明したパイロットランプでもよい。また、本実施形態では、端子装置３０ｂ，３０ｃ，３０ｄおよび接点装置４０を収納した器体１と、器体１の前面側に揺動自在に枢支される形で装着された反転ハンドル５０とでスイッチ本体を構成している。
【００３２】
ところで、上述のプリズム８０と発光源７０（位置表示灯７１）とは図４に示すような位置関係にあり、プリズム８０は、上述のように操作ハンドル６０に設けられ発光源７０の光を外部へ出射する表示部８１と、スイッチ本体と操作ハンドル６０との間で発光源７０の光を表示部８１の表示面８１ａへ導光する集光部８２とを備えている。集光部８２は、発光源７０からの光が入射される平面状の入射面８２ａに隣り合う面であって入射面８２ａに対して４５°の角度をなす第１の反射面８２ｂと、第１の反射面８２ｂで反射された光を表示面８１ａ側へ反射する第２の反射面８２ｃとを有している。ここにおいて、集光部８２は、入射面８２ａに直交する方向の厚さ寸法Ｈ１が第１の反射面８２ｂによる光の反射方向（図４の右方向）における表示部８１の幅寸法Ｈ２よりも小さく設定されており、第２の反射面８２ｃは、表示部８１の光軸Ｘに対して第１の反射面８２ｂとは反対側に形成されている。また、第２の反射面８２ｃは第１の反射面８２ｂに平行な平面状に形成されている。
【００３３】
しかして、発光源７０と表示部８１の表示面８１ａとの位置が図４の左右方向にずれていても（つまり、表示部８１の光軸Ｘの延長線上に発光源７０が位置していなくても）、発光源７０の光を集光部８２の入射面８２ａに対して４５°の角度をなす第１の反射面８２ｂで反射させさらに第２の反射面８２ｃで反射させて表示部８１の表示面８１ａへ導光することができるので、発光源７０の光を外部へ効率良く出射させることができる。また、集光部８２は、入射面８２ａに直交する方向の厚さ寸法Ｈ１が第１の反射面８２ｂによる光の反射方向における表示部８１の幅寸法Ｈ２よりも小さく設定されており、第２の反射面８２ｃは、表示部８１の光軸Ｘに対して第１の反射面８２ｂとは反対側において第１の反射面８２ｂに平行な平面状に形成されているので、スイッチ本体と操作ハンドル６０との間の隙間を比較的小さくしながらも発光源７０の光を外部へ効率良く出射させることができ、表示面８１ａに暗部が形成されるのを防止することができる。
【００３４】
なお、図４に示したプリズム８０では、入射面８２ａに直交する方向の厚さ寸法Ｈ１が第１の反射面８２ｂによる光の反射方向における表示部８１の幅寸法Ｈ２よりも小さく設定されているが、プリズム８０を図５に示すようにＨ１＞Ｈ２となるような形状に形成してもよい。ここに、図５に示すプリズム８０でも第２の反射面８２ｃが第１の反射面８２ｂに平行な平面状に形成されている点は同じであるが、第２の反射面８２ｃが、表示部８１の光軸Ｘに対して第１の反射面８２ｂ側から反対側にわたって形成されているので、発光源７０の光を外部へより効率良く出射させることができる。
【００３５】
また、プリズム８０は図６や図７に示すような形状に形成してもよい。ここに、図６および図７に示すプリズム８０の形状は図４に示したプリズム８０と略同じ形状であって、第２の反射面８２ｃが階段状に形成され各階段面８２ｄが第１の反射面８２ｂに平行な平面状に形成されており、表示部８１の光軸Ｘに対して第１の反射面８２ｂ側から反対側にわたって形成されている点が相違する。図６や図７に示す形状のプリズム８０を採用すれば、図４に示したプリズム８０と同様に入射面８２ａに直交する方向における集光部８２の厚さ寸法を比較的小さくしながらも発光源７０の光を外部へ効率良く出射させることができ、表示面８１ａに暗部が形成されるのを防止することができる。ここに、図６のプリズム８０の第２の反射面８２ｃは２つの階段面８２ｄを有し、図７のプリズム８０の第２の反射面８２ｃは５つの階段面８２ｄを有しており、図７のプリズム８０の方が図６のプリズム８０よりも発光源７０の光を効率良く外部へ出射させることができるが、階段面８２ｄの数は少ない方が成形しやすく、２つ以上の階段面８２ｄを有していればよい。
【００３６】
【発明の効果】
請求項１の発明は、接点装置が器体に収納されたスイッチ本体と、スイッチ本体に設けられた発光源と、スイッチ本体の前面側に配設された操作ハンドルと、発光源の光を表示面を通して外部へ出射する表示部およびスイッチ本体と操作ハンドルとの間で発光源の光を表示部の表示面へ導光する集光部を有するプリズムとを備え、集光部が、発光源からの光が入射される入射面に隣り合う面であって入射面に対して４５°の角度をなす第１の反射面と、第１の反射面で反射された光を表示面側へ反射する第２の反射面とを有するものであり、発光源と表示部の表示面との位置がずれていても、発光源の光を集光部の入射面に対して４５°の角度をなす第１の反射面で反射させさらに第２の反射部で反射させて表示部の表示面へ導光することができるので、発光源の光を外部へ効率良く出射させることができるという効果がある。
【００３９】
また、請求項１の発明では、第２の反射面は、階段状に形成され各階段面が第１の反射面に平行な平面状に形成されているので、前記入射面に直交する方向における前記集光部の厚さ寸法を比較的小さくしながらも前記発光源の光を外部へ効率良く出射させることができ、前記表示面に暗部が形成されるのを防止することができるという効果がある。
【００４０】
請求項２の発明は、請求項１の発明において、前記第２の反射面は、前記階段面を少なくとも３つ有するので、前記発光源の光を外部へより効率良く出射させることができるという効果がある。
【図面の簡単な説明】
【図１】  本発明の実施の形態の基本例を示す断面図である。
【図２】  同上を示し、（ａ）は正面図、（ｂ）右側面図、（ｃ）下面図である。
【図３】  同上の分解斜視図である。
【図４】  同上に用いるプリズムの断面図である。
【図５】  同上に用いるプリズムの他の構成例を示す断面図である。
【図６】  実施の形態におけるプリズムの構成例を示す断面図である。
【図７】  実施の形態におけるプリズムの別の構成例を示し、（ａ）は断面図、（ｂ）は（ａ）の要部拡大図である。
【図８】  従来例の要部説明図である。
【符号の説明】
１  器体
４０  接点装置
４１ａ，４１ｂ  固定接点
４２ａ，４２ｂ  可動接点
５０  反転ハンドル
６０  操作ハンドル
７１  位置表示灯
８０  プリズム
８１  表示部
８１ａ  表示面
８２  集光部
８２ａ  入射面
８２ｂ  第１の反射面
８２ｃ  第２の反射面
【図１】
0003890957.tif 000002
【図２】
0003890957.tif 000003
【図３】
0003890957.tif 000004
【図４】
0003890957.tif 000005
【図５】
0003890957.tif 000006
【図６】
0003890957.tif 000007
【図７】
0003890957.tif 000008
【図８】
0003890957.tif 000009